(57)【要約】【課題】通気抵抗の悪化を抑制しつつ、フィルタエレメントに流入するエアの流量分布にばらつきが生じることを抑制することができるエアクリーナを提供する。【解決手段】ケース２０の内部には、ケース２０の側壁２１ａに形成されたインレット２２の開口２２ａの縁から延びるとともに、インレット２２の開口２２ａの周縁をその中心軸線Ｃに沿ってエア下流側に延長した仮想面Ｖに対して同下流側ほど外周側に位置してエアをフィルタエレメント４０に向けて案内する案内面２６ａを有する案内部２６が設けられている。案内面２６ａには、エアに渦流を発生させる複数の突起２８が形成されている。【選択図】図１
2015086743.tif 000002
【特許請求の範囲】
【請求項１】
インレット及びアウトレットを有するハウジングと、同ハウジングの内部に設けられて前記インレットを通じて吸入されたエアを濾過するフィルタエレメントと、を備えるエアクリーナにおいて、
前記ハウジングの内部には、同ハウジングの壁部に形成された前記インレットの開口の周縁から延びるとともに前記フィルタエレメントに向けてエアを案内する案内面を有する案内部が設けられ、
前記案内面には、エアに渦流を発生させる突起が形成されている、
エアクリーナ。
【請求項２】
前記案内面は、前記インレットの前記開口の周縁をその中心軸線に沿ってエア下流側に延長した仮想面に対してエア下流側ほど外周側に位置するように形成されている、
請求項１に記載のエアクリーナ。
【請求項３】
前記案内面には、複数の前記突起が設けられている、
請求項１又は請求項２に記載のエアクリーナ。
【請求項４】
前記案内部は、前記インレットの前記開口の周縁の一部から延びている、
請求項１〜請求項３のいずれか一項に記載のエアクリーナ。
【請求項５】
前記案内部は、前記インレットの前記開口の周縁の全周から延びている、
請求項１〜請求項３のいずれか一項に記載のエアクリーナ。
【発明の詳細な説明】
【技術分野】
【０００１】
本発明は、エンジンのエアクリーナに関する。
【背景技術】
【０００２】
エンジンのエアクリーナは、インレット及びアウトレットを有するハウジングを備えている。また、ハウジングの内部には、インレットを通じて吸入されたエアを濾過するためのフィルタエレメントが設けられている（例えば特許文献１参照）。
【０００３】
特許文献１に記載のエアクリーナにおいては、ハウジングの内部におけるフィルタエレメントよりもエア上流側の空間に、インレットから流入するエアがフィルタエレメントの全体に向けて案内されるようにエアを拡散させる２枚の拡散板が設けられている。これら拡散板は、インレットの開口の近傍からフィルタエレメントにかけてそれぞれ設けられており、いずれも滑らかな曲面状をなしている。
【０００４】
特許文献１に記載のエアクリーナによれば、インレットを通じて吸入されたエアの流れが２枚の拡散板によって３つの流れに分断され、分断されたエアが案内板に案内されながらフィルタエレメントの全体に対して略均一に当たることとなる。従って、フィルタエレメントの一部のみが汚損されることを抑制することができ、ひいてはフィルタエレメントの寿命を延ばすことができるとされている。
【先行技術文献】
【特許文献】
【０００５】
【特許文献１】特開２０００―３４６６８７号公報
【発明の概要】
【発明が解決しようとする課題】
【０００６】
しかしながら、特許文献１に記載のエアクリーナの場合、インレットを通じて吸入されたエアを拡散板によって分断するとともに同拡散板に衝突させることによってその流れ方向を変更させるものであるため、通気抵抗が増大するといった問題が生じる。
【０００７】
本発明の目的は、通気抵抗の悪化を抑制しつつ、フィルタエレメントに流入するエアの流量分布にばらつきが生じることを抑制することができるエアクリーナを提供することにある。
【課題を解決するための手段】
【０００８】
上記目的を達成するためのエアクリーナは、インレット及びアウトレットを有するハウジングと、同ハウジングの内部に設けられて前記インレットを通じて吸入されたエアを濾過するフィルタエレメントと、を備える。前記ハウジングの内部には、同ハウジングの壁部に形成された前記インレットの開口の周縁から延びるとともに前記フィルタエレメントに向けてエアを案内する案内面を有する案内部が設けられ、前記案内面には、エアに渦流を発生させる突起が形成されている。
【０００９】
同構成によれば、インレットを通じて吸入されたエアが案内面に形成された突起の近傍を通過する際に同エアによる渦流が発生するようになる。そして、この渦流によって、案内面からのエアの剥離が抑制される。このことにより、エアが乱流となって案内面に沿って流れるようになる。また、案内面に形成された突起は、上述した作用を奏する渦流を発生させる程度のものでよいため、突起に起因して通気抵抗が増大することはほとんどない。
【発明の効果】
【００１０】
本発明によれば、通気抵抗の悪化を抑制しつつ、フィルタエレメントに流入するエアの流量分布にばらつきが生じることを抑制することができる。
【図面の簡単な説明】
【００１１】
【図１】第１実施形態のエアクリーナの断面図。
【図２】同実施形態のインレットをケース本体の内側から視た断面図。
【図３】同実施形態の作用を説明するためのエアクリーナの断面図であって、図１のインレットを中心とした拡大断面図。
【図４】第２実施形態のエアクリーナの断面図。
【図５】第３実施形態のエアクリーナの断面図。
【図６】変形例のエアクリーナの断面図であって、図２に対応する断面図。
【図７】他の変形例のエアクリーナの断面図であって、図２に対応する断面図。
【発明を実施するための形態】
【００１２】
＜第１実施形態＞
以下、図１〜図３を参照して、エアクリーナの第１実施形態について説明する。
図１に示すように、エアクリーナのハウジング１０は、ケース２０及びキャップ３０を備えている。ケース２０及びキャップ３０は、それぞれ上面及び下面に開口を有するケース本体２１及びキャップ本体３１を有している。ケース本体２１の上部開口とキャップ本体３１の下部開口とは互いに対向している。ケース本体２１の上部開口の外周縁及びキャップ本体３１の下部開口の外周縁にはそれぞれフランジ２４、３４が形成されている。また、ケース本体２１とキャップ本体３１との間には、フィルタエレメント４０が設けられている。
【００１３】
フィルタエレメント４０の濾過部４２は、濾材シートを襞折りすることによって平形に形成されている。また、濾過部４２の外周縁には、弾性体からなるシール部４４が形成されている。そして、ケース２０のフランジ２４のシール面とキャップ３０のフランジ３４のシール面とによってシール部４４が挟持されている。
【００１４】
ケース本体２１の側壁２１ａには、ハウジング１０内部のフィルタエレメント４０に向けて大気を導入するための筒状のインレット２２が設けられている。インレット２２は斜め上方に向けて延びている。
【００１５】
キャップ本体３１の側壁３１ａの上側角部には、フィルタエレメント４０によって濾過されたエアをエンジンに向けて供給するための筒状のアウトレット３２が設けられている。
【００１６】
図１に示すように、インレット２２の開口２２ａの周縁の上部、すなわち同周縁においてインレット２２の中心軸線Ｃよりもフィルタエレメント４０側に位置する部分には、フィルタエレメント４０に向けてエアを案内する案内面２６ａを有する案内部２６が突設されている。この案内面２６ａは、インレット２２の開口２２ａの周縁をその中心軸線Ｃに沿ってエア下流側に延長した仮想面Ｖ（同図に二点鎖線にて示す）に対して同下流側ほど外周側に位置するように全体として湾曲している。
【００１７】
図１及び図２に示すように、案内面２６ａには、エアに渦流を発生させる複数の突起２８が列設されている。
次に、本実施形態の作用について説明する。
【００１８】
図３に示すように、本実施形態のエアクリーナにおいては、インレット２２を通じてケース本体２１の内部に吸入されたエアが、案内面２６ａに形成された突起２８の近傍を通過する際に同エアによる渦流が発生するようになる。そして、同図に実線の矢印Ａにて示すように、この渦流によって、案内面２６ａからのエアの剥離が抑制される。このことにより、エアが乱流となって案内面２６ａに沿って流れるようになり、フィルタエレメント４０の濾過部４２におけるインレット２２側の部位Ｘに対して多くの量のエアが当たるようになる。また、案内面２６ａに形成された突起２８は、上述した作用を奏する渦流を発生させる程度のものでよいため、突起２８に起因して通気抵抗が増大することはほとんどない。
【００１９】
一方、上記突起２８が形成されていない比較例のエアクリーナにおいては、上記渦流が発生しない。そのため、同図に二点鎖線の矢印Ｂにて示すように、インレット２２を通じて吸入されたエアがその中心軸線Ｃに沿って流れやすくなる。そのため、フィルタエレメント４０の濾過部４２の上記部位Ｘに対してエアが当たりにくい。
【００２０】
以上説明した本実施形態に係るエアクリーナによれば、以下に示す効果が得られるようになる。
（１）ケース２０の内部には、ケース２０の側壁２１ａに形成されたインレット２２の開口２２ａの縁から延びるとともにフィルタエレメント４０に向けてエアを案内する案内面２６ａを有する案内部２６が設けられている。案内面２６ａには、エアに渦流を発生させる突起２８が形成されている。
【００２１】
こうした構成によれば、インレット２２を通じて吸入されたエアが、インレット２２の開口２２ａの周縁をその中心軸線Ｃに沿ってエア下流側に延長した仮想面Ｖに対してエア下流側ほど外周側に位置するように湾曲された案内面２６ａに沿って流れるようになる。このため、フィルタエレメント４０の全体に対してエアを当てることができ、フィルタエレメント４０の一部のみが汚損されることを抑制することができる。また、案内面２６ａに形成された突起２８は、上述した作用を奏する渦流を発生させる程度のものでよいため、突起２８に起因して通気抵抗が増大することはほとんどない。従って、通気抵抗の悪化を抑制しつつ、フィルタエレメント４０に流入するエアの流量分布にばらつきが生じることを抑制することができる。
【００２２】
（２）案内面２６ａには複数の突起２８が列設されている。このため、案内面２６ａの広い範囲にわたって渦流を発生させることができ、より多くのエアを案内面２６ａに沿った方向に案内することができる。
【００２３】
＜第２実施形態＞
以下、図４を参照して、エアクリーナの第２実施形態について説明する。
図４に示すように、本実施形態のインレット１２２は、ケース本体１２１の上部開口に対向する底壁１２１ｂに設けられている。また、インレット１２２は底壁１２１ｂの中央に設けられ、その中心軸線Ｃはケース１２０の上部開口に直交するとともにフィルタエレメント４０の濾過部４２の中心を指向している。
【００２４】
インレット１２２の開口１２２ａの周縁には、全周にわたって案内部１２６が形成されている。この案内部１２６は、エア下流側ほど外周側に位置するように全体として湾曲した案内面１２６ａを有している。また、案内面１２６ａには、エアに渦流を発生させる複数の突起１２８が全周にわたって形成されている。
【００２５】
次に、本実施形態の作用について説明する。
図４に示すように、本実施形態のエアクリーナにおいては、突起１２８の近傍に発生する渦流によって、同図に実線の矢印Ｄにて示すように、案内面１２６ａからのエアの剥離が抑制される。このことにより、エアが案内面１２６ａに沿って流れるようになり、フィルタエレメント４０の濾過部４２における外周縁側の部位Ｙに対して多くのエアが当たるようになる。
【００２６】
従って、以上説明した本実施形態に係るエアクリーナによれば、先の第１実施形態の効果（１）、（２）に準じた効果をが得られるようになる。
＜第３実施形態＞
以下、図５を参照して、エアクリーナの第３実施形態について説明する。
【００２７】
図５に示すように、本実施形態のインレット２２２は、ケース本体２２１の上部開口に対向する底壁２２１ｂに設けられている。また、インレット２２２は一方（同図における左方）の側壁２２１ａ側に設けられ、その中心軸線Ｃはケース２２０の上部開口に直交している。
【００２８】
インレット２２２の開口２２２ａの周縁の一部、すなわち同周縁においてインレット２２２の中心軸線Ｃよりも上記一方の側壁２２１ａに対向する他方（同図における右方）の側壁２２１ａ側に位置する部分には、エア下流側ほど外周側に位置するように湾曲した案内面２２６ａを有する案内部２２６が形成されている。また、案内面２２６ａには、エアに渦流を発生させる複数の突起２２８が形成されている。
【００２９】
次に、本実施形態の作用について説明する。
図５に示すように、本実施形態のエアクリーナにおいては、突起２２８の近傍に発生する渦流によって、同図に実線の矢印Ｅにて示すように、案内面２２６ａからのエアの剥離が抑制される。このことにより、エアが案内面２２６ａに沿って流れるようになり、フィルタエレメント４０の濾過部４２における上記他方の側壁２２１ａ側の部位Ｚに対して多くのエアが当たるようになる。
【００３０】
従って、以上説明した本実施形態に係るエアクリーナによれば、先の第１実施形態の効果（１）、（２）に準じた効果をが得られるようになる。
＜変形例＞
なお、本発明に係るエアクリーナは、上記実施形態にて例示した構成に限定されるものではなく、これを適宜変更した例えば次のような形態として実施することもできる。
【００３１】
・インレットの開口は円形状に限られるものではなく、図６に示すように、インレット３２２の開口３２２ａを略矩形状とすることもできる。この場合であっても、上記実施形態と同様にして案内面３２６ａを有する案内部３２６、及び突起３２８を設けるようにすればよい。
【００３２】
・図７に示すように、案内部４２６の案内面４２６ａを略扇形状とすることもできる。またこの場合、複数の突起４２８をインレット４２２の周方向に沿って列設させるようにすればよい。
【００３３】
・上記各実施形態では、複数の突起２８が一列にて形成された構成について例示したが、こうした突起２８の列を複数形成するようにしてもよい。また、突起を千鳥配置することもできる。
【符号の説明】
【００３４】
１０，１１０，２１０…ハウジング、２０，１２０，２２０…ケース、２１，１２１，２２１，３２１，４２１…ケース本体、２１ａ，１２１ａ，２２１ａ，３２１ａ，４２１ａ…側壁、２２，１２２，２２２，３２２，４２２…インレット、２２ａ，１２２ａ，２２２ａ，３２２ａ，４２２ａ…開口、２４…フランジ、２６，１２６，２２６，３２６，４２６…案内部、２６ａ，１２６ａ，２２６ａ，３２６ａ，４２６ａ…案内面、２８，１２８，２２８，３２８，４２８…突起、３０…キャップ、３１…キャップ本体、３１ａ…側壁、３２…アウトレット、３４…フランジ、４０…フィルタエレメント、４２…濾過部、４４…シール部、１２１ｂ，２２１ｂ…底壁。
【図１】
2015086743.tif 000003
【図２】
2015086743.tif 000004
【図３】
2015086743.tif 000005
【図４】
2015086743.tif 000006
【図５】
2015086743.tif 000007
【図６】
2015086743.tif 000008
【図７】
2015086743.tif 000009